(57)【要約】【課題】操作部の除菌を効果的に行うことができる電子機器及び画像形成装置を提供する。【解決手段】画像形成装置１００の本体の上方にイオン発生装置７１を設けておき、操作パネル７５の操作に対する応答動作が終了した後に、正イオン及び負イオンをイオン発生装置７１から矢印Ｄの斜め下方に放出して、正イオン及び負イオンを操作パネル７５に当て、正イオン及び負イオンにより操作パネル７５の目に見えない雑菌等の汚れを除去している。【選択図】図１
2010164815.tif 000002
【特許請求の範囲】
【請求項１】
利用者により操作される操作部を備え、この操作部の操作に対して応答動作する電子機器において、
イオンを発生して放出するイオン発生手段と、
前記操作部の操作又は該操作に対する応答動作が終了した後に、前記イオン発生手段から前記操作部に向けてのイオンの放出を開始させるイオン放出制御手段とを備えることを特徴とする電子機器。
【請求項２】
前記イオン発生手段は、正イオン及び負イオンを同時に発生して放出することを特徴とする請求項１に記載の電子機器。
【請求項３】
利用者により操作される操作部を備え、この操作部の操作に対して応答動作する画像形成装置において、
イオンを発生して放出するイオン発生手段と、
前記操作部の操作又は該操作に対する応答動作が終了した後に、前記イオン発生手段から前記操作部に向けてのイオンの放出を開始させるイオン放出制御手段とを備えることを特徴とする画像形成装置。
【請求項４】
前記イオン発生手段は、正イオン及び負イオンを同時に発生して放出することを特徴とする請求項３に記載の画像形成装置。
【請求項５】
前記イオン発生手段は、前記画像形成装置本体の外側に取付けられ、
前記イオン放出制御手段は、前記イオン発生手段からのイオンの放出方向を前記操作部から外れる方向に設定しておき、前記操作部の操作又は該操作に対する応答動作が終了した後に、前記イオン発生手段からのイオンの放出方向を前記操作部の方向に変更することを特徴とする請求項３又は４に記載の画像形成装置。
【請求項６】
前記イオン発生手段は、前記画像形成装置に上向きに突設された支持部材により支持されたことを特徴とする請求項３乃至５のいずれか１つに記載の画像形成装置。
【請求項７】
前記支持部材は、前記画像形成装置の背面側一コーナーに上向きに突設されて、前記イオン発生手段の一端部を支持したことを特徴とする請求項６に記載の画像形成装置。
【請求項８】
前記支持部材は、前記画像形成装置の背面側中央に上向きに突設されて、前記イオン発生手段の中央を支持したことを特徴とする請求項６に記載の画像形成装置。
【請求項９】
前記イオン発生手段は、イオンを発生するイオン発生素子と、イオン発生素子周辺を通過するような空気の流れを発生させて、イオンを空気と共に放出する送風ファンとを有することを特徴とする請求項３乃至８のいずれか１つに記載の画像形成装置。
【発明の詳細な説明】
【技術分野】
【０００１】
本発明は、利用者により操作される操作部を備え、この操作部の操作に応答して動作する電子機器及び画像形成装置に関する。
【背景技術】
【０００２】
種々の電子機器の多くは、利用者により操作されるキー、ボタン、タッチパネル等の操作部を備え、この操作部の操作に応答して動作する。この操作部は、利用者が直接触れる箇所であって汚れ易いため清掃されるのが望ましい。
【０００３】
一個人専用の電子機器では、その個人の判断で、操作部の清掃を実施すればよい。ところが、不特定多数の人々が共用する電子機器、例えばＡＴＭや券売機では、操作部の清掃が定期的に行われていても、機器の利用の度に、操作部の清掃が行われるわけではないため、他人が直接触れた後では、操作部の目に見えない雑菌等の汚れが気がかりである。
【０００４】
複写機、プリンタ、ファクシミリ装置等の画像形成装置についても、オフィス、店舗、病院等に設置された状況では、不特定多数の人々が共用するので、やはり、その操作部の目に見えない雑菌等の汚れが気がかりである。
【０００５】
一方、画像形成装置には、電子写真方式のものがある。この方式の装置では、静電潜像を感光体ドラム表面に形成し、トナーにより感光体ドラム表面の静電潜像を現像して、感光体ドラム表面にトナー像を形成し、トナー像を感光体ドラムから記録用紙に転写し、記録用紙を加熱及び加圧して、トナー像を記録用紙上に定着させる。
【０００６】
このような画像形成装置においては、記録用紙の印刷処理中に排出ガスが生じることがある。この排出ガスの主成分は、記録用紙から発生すると推定されるロンギフォレン等であり、装置の利用者に不快感を与える。
【０００７】
このため、特許文献１では、送風ファン、マイナスイオン発生部、及びプラスに帯電されたフィルター等を画像形成装置内部に設け、装置内部で発生したトナー粉、塵埃をマイナスに帯電させて、マイナス帯電のトナー粉、塵埃をプラス帯電のフィルターに吸着させ、装置外部に放出される有害物質を低減している。同時に、画像形成装置外部から侵入しようとする塵埃、カビ等をマイナスに帯電させて、これらもプラス帯電のフィルターに吸着させ、装置外部からの有害物質の侵入を抑制している。
【０００８】
しかしながら、この特許文献１の技術では、浮遊している有害物質を抑制することができても、電子機器や画像形成装置の操作部の目に見えない雑菌等の汚れを除去することはできなかった。
【０００９】
また、オフィス、家庭、病院等においては、室内の空気を浄化する空気清浄機が普及しつつある。
【００１０】
例えば、特許文献２では、正イオン及び負イオンを同時に発生して、正イオン及び負イオンにより空気中の浮遊細菌を効果的に除去している、
しかしながら、この特許文献２の技術では、室内の空気を浄化することができても、操作部の目に見えない雑菌等の汚れを除去することはできなかった。
【先行技術文献】
【特許文献】
【００１１】
【特許文献１】特開２００５−４１４４号公報
【特許文献２】特開２００２−５８７３１号公報
【発明の概要】
【発明が解決しようとする課題】
【００１２】
このように不特定多数の人々が共用する電子機器や画像形成装置では、他人が直接触れた後の操作部の目に見えない雑菌等の汚れが気がかりであるにもかかわらず、この操作部の汚れを効果的に抑制する手立てがなかった。
【００１３】
そこで、本発明は、上記課題を解決するためになされたものであり、操作部の除菌を効果的に行うことができる電子機器及び画像形成装置を提供することを目的とする。
【課題を解決するための手段】
【００１４】
上記課題を解決するために、本発明の電子機器は、利用者により操作される操作部を備え、この操作部の操作に対して応答動作する電子機器において、イオンを発生して放出するイオン発生手段と、前記操作部の操作又は該操作に対する応答動作が終了した後に、前記イオン発生手段から前記操作部に向けてのイオンの放出を開始させるイオン放出制御手段とを備えている。
【００１５】
また、本発明の画像形成装置は、利用者により操作される操作部を備え、この操作部の操作に対して応答動作する画像形成装置において、イオンを発生して放出するイオン発生手段と、前記操作部の操作又は該操作に対する応答動作が終了した後に、前記イオン発生手段から前記操作部に向けてのイオンの放出を開始させるイオン放出制御手段とを備えている。
【００１６】
例えば、前記イオン発生手段は、正イオン及び負イオンを同時に発生して放出している。
【００１７】
また、前記イオン発生手段は、前記画像形成装置本体の外側に取付けられ、前記イオン放出制御手段は、前記イオン発生手段からのイオンの放出方向を前記操作部から外れる方向に設定しておき、前記操作部の操作又は該操作に対する応答動作が終了した後に、前記イオン発生手段からのイオンの放出方向を前記操作部の方向に変更している。
【００１８】
また、前記イオン発生手段は、前記画像形成装置に上向きに突設された支持部材により支持されている。
【００１９】
更に、前記支持部材は、前記画像形成装置の背面側一コーナーに上向きに突設されて、前記イオン発生手段の一端部を支持している。
【００２０】
また、前記支持部材は、前記画像形成装置の背面側中央に上向きに突設されて、前記イオン発生手段の中央を支持している。
【００２１】
更に、前記イオン発生手段は、イオンを発生するイオン発生素子と、イオン発生素子周辺を通過するような空気の流れを発生させて、イオンを空気と共に放出する送風ファンとを有している。
【発明の効果】
【００２２】
本発明の電子機器及び画像形成装置によれば、イオン放出制御手段は、操作部の操作又は該操作に対する応答動作が終了した後に、イオン発生手段から操作部に向けてのイオンの放出を開始させている。このため、利用者が直接触れた後の操作部に目に見えない雑菌等の汚れがあっても、イオンが空気と共に操作部に当てられ、このイオンにより操作部の雑菌等が除去される。
【００２３】
また、操作部の操作又は該操作に対する応答動作が終了すると、利用者の手が操作部から離れたとみなすことができるので、操作部の操作又は該操作に対する応答動作が終了するまでは、すなわち利用者の手が操作部から離れるまでは、イオンが操作部に向けて放出されないため、イオンが空気と共に利用者の手に直接吹き付けられることはなく、利用者が不快に感じることはない。
【００２４】
例えば、イオン発生手段からは正イオン及び負イオンが同時に発生されて放出される。このような正イオン及び負イオンは、操作部を除菌したり、空気中の浮遊細菌を効果的に除去したり、画像形成装置の排出ガスの臭気を効果的に低減することができ、本発明に好適である。
【００２５】
また、イオン発生手段を画像形成装置本体の外側に取付けていることから、本体そのものが大型化することはない。そして、イオン放出制御手段は、イオンの放出方向を操作部から外れる方向に設定しておき、操作部の操作又は該操作に対する応答動作が終了した後に、イオンの放出方向を操作部の方向に変更している。イオンの放出方向を操作部から外れる方向に設定しているときには、イオンを操作部の除菌以外の目的で使用することができる。例えば、イオンの放出方向を画像形成装置に向けて、イオンにより画像形成装置を覆えば、画像形成装置の排出ガスの臭気を効果的に抑えることができる。あるいは、イオンの放出方向を上方に向ければ、イオンを室内に広く拡散させて、室内の空気を効果的に浄化することができる。
【００２６】
更に、イオン発生手段が画像形成装置に上向きに突設された支持部材により支持されるので、イオン発生手段が画像形成装置の上方に配置され、装置の設置スペースが拡大することはない。例えば、支持部材は、画像形成装置の背面側一コーナーに上向きに突設されて、イオン発生手段の一端部を支持している。これにより、画像形成装置の上方スペースが開放されて、装置の使い勝手が損なわれずに済む。あるいは、支持部材は、画像形成装置の背面側一辺の中央に上向きに突設されて、イオン発生手段の中央を支持している。これにより、イオン発生手段が安定的に支持される。
【００２７】
例えば、イオン発生手段は、正イオン及び負イオンを発生するイオン発生素子と、イオン発生素子周辺を通過するような空気の流れを発生させて、イオンを空気と共に放出する送風ファンとを有する。
【図面の簡単な説明】
【００２８】
【図１】本発明の画像形成装置の一実施形態を示す断面図である。
【図２】（ａ）、（ｂ）は、図１の画像形成装置におけるイオン発生装置からの２つのイオン放出方向を示す斜視図である。
【図３】図１の画像形成装置における操作パネルを示す平面図である。
【図４】図１の画像形成装置におけるイオン発生装置を示す断面図である。
【図５】図４のイオン発生装置におけるプラズマクラスターイオン発生素子を例示する平面図である。
【図６】図１の画像形成装置において図４のイオン発生装置からのイオン放出方向を上方に設定した状態を示す側面図である。
【図７】図１の画像形成装置において図４のイオン発生装置からのイオン放出方向を斜め下方に設定した状態を示す側面図である。
【図８】図１の画像形成装置におけるイオン発生装置の他の例を示す断面図である。
【図９】図８のイオン発生装置からのイオン放出方向を斜め下方に設定した状態を示す側面図である。
【図１０】図１の画像形成装置において図８のイオン発生装置の支持構造を示す斜視図である。
【図１１】図１の画像形成装置において図８のイオン発生装置からのイオン放出方向を上方に設定した状態を示す側面図である。
【図１２】図１の画像形成装置において図８のイオン発生装置からのイオン放出方向を斜め下方に設定した状態を示す側面図である。
【図１３】画像形成装置におけるイオン発生装置の変形例を示す斜視図である。
【図１４】画像形成装置におけるイオン発生装置の他の変形例を示す側面図である。
【発明を実施するための形態】
【００２９】
以下、本発明の実施形態を添付図面を参照して詳細に説明する。
【００３０】
図１は、本発明の画像形成装置の一実施形態を示す断面図である。この画像形成装置１００は、原稿読取り装置１０１により読取られた原稿の画像又は外部から受信した画像をカラーもしくは単色で記録用紙に記録形成するものである。
【００３１】
原稿読取り装置１０１は、原稿搬送部４２により搬送されている原稿画像を読取る。原稿搬送部４２では、原稿が原稿セットトレイ４１にセットされると、原稿ピックアップローラ４４が原稿表面に押し付けられて回転され、原稿が原稿セットトレイ４１から引き出され、原稿がサバキローラ４５と分離パッド４６間を通過して１枚ずつに分離されてから搬送経路４７へと搬送される。
【００３２】
この搬送経路４７では、原稿の先端が原稿レジストローラ４９に当接して、原稿の先端が原稿レジストローラ４９と平行に揃えられ、この後に原稿が原稿レジストローラ４９により搬送されて読取りガイド５１と読取りガラス５２間を通過する。更に、原稿は、搬送ローラ５７により搬送され、排紙ローラ５８を介して排紙トレイ５９に排出される。
【００３３】
原稿読取り装置１０１では、原稿が読取りガイド５１と読取りガラス５２間を通過するに際し、第１走査部５３の光源の光が読取りガラス５２を介して原稿表面に照射され、その反射光が読取りガラス５２を介して第１走査部５３に入射し、この反射光が第１及び第２走査部５３、５４のミラーで反射されて結像レンズ５５へと導かれ、結像レンズ５５によって原稿の画像がＣＣＤ（Charge Coupled Device）５６上に結像される。ＣＣＤ５６は、原稿の画像を読取り、原稿の画像を示す画像データを出力する。
【００３４】
また、原稿台ガラス６１上に載置された原稿を読取ることができる。原稿搬送部４２は、原稿読取り装置１０１の背面側で開閉可能に枢支されており、この原稿搬送部４２が開かれると、原稿台ガラス６１が解放されて、原稿台ガラス６１上に原稿を載置することができる。原稿が載置されて、原稿搬送部４２が閉じられると、第１及び第２走査部５３、５４が副走査方向に移動されつつ、第１走査部５３によって原稿台ガラス６１上の原稿表面が露光され、第１及び第２走査部５３、５４によって原稿表面からの反射光が結像レンズ５５へと導かれ、結像レンズ５５によって原稿の画像がＣＣＤ５６上に結像される。このとき、第１及び第２走査部５３、５４が相互に所定の速度関係を維持しつつ移動されて、原稿表面→第１及び第２走査部５３、５４→結像レンズ５５→ＣＣＤ５６という反射光の光路の長さが変化しないように第１及び第２走査部５３、５４の位置関係が維持され、これによりＣＣＤ５６上での原稿の画像のピントが常に正確に維持される。
【００３５】
こうして読取られた原稿の画像全体は、画像データとして画像形成装置１００のレーザ露光装置１へと送受され、画像形成装置１００において画像が記録用紙に記録される。
【００３６】
一方、画像形成装置１００は、レーザ露光装置１、現像装置２、感光体ドラム３、帯電器５、クリーナ装置４、中間転写ベルト装置８、定着装置１２、用紙搬送経路Ｓ、給紙トレイ１０、及び用紙排出トレイ１５等により構成されている。
【００３７】
画像形成装置１００において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。従って、現像装置２、感光体ドラム３、帯電器５、クリーナ装置４は各色に応じた４種類の潜像を形成するようにそれぞれ４個ずつ設けられ、それぞれがブラック、シアン、マゼンタ、及びイエローに対応付けられて、４つの画像ステーションＰａ、Ｐｂ、Ｐｃ、Ｐｄが構成されている。
【００３８】
感光体ドラム３は、画像形成装置１００のほぼ中央に配置されている。
【００３９】
帯電器５は、感光体ドラム３の表面を所定の電位に均一に帯電させるための帯電手段であり、接触型であるローラ型やブラシ型の帯電器のほか、チャージャー型の帯電器が用いられる。
【００４０】
レーザ露光装置１は、レーザダイオード及び反射ミラーを備えたレーザスキャニングユニット（ＬＳＵ）であり、帯電された感光体ドラム３表面を画像データに応じて露光して、その表面に画像データに対応する静電潜像を形成する。
【００４１】
現像装置２は、感光体ドラム３上に形成された静電潜像をブラック、シアン、マゼンタ、及びイエローのトナーにより現像する。クリーナ装置４は、現像及び画像転写後に感光体ドラム３表面に残留したトナーを除去及び回収する。
【００４２】
感光体ドラム３の上方に配置されている中間転写ベルト装置８は、中間転写ベルト７、中間転写ベルト駆動ローラ２１、従動ローラ２２、中間転写ローラ６、及び中間転写ベルトクリーニング装置９を備えている。
【００４３】
中間転写ベルト駆動ローラ２１、中間転写ローラ６、従動ローラ２２等は、中間転写ベルト７を張架して支持し、中間転写ベルト７を矢印Ｃ方向に周回移動させる。
【００４４】
中間転写ローラ６は、中間転写ベルト７近傍に回転可能に支持され、中間転写ベルト７を介して感光体ドラム３に圧接され、感光体ドラム３のトナー像を中間転写ベルト７に転写するための転写バイアスを印加されている。
【００４５】
中間転写ベルト７は、各感光体ドラム３に接触するように設けられており、各感光体ドラム３表面のトナー像を中間転写ベルト７に順次重ねて転写することによって、カラーのトナー像（各色のトナー像）を形成する。この転写ベルトは、厚さ１００μｍ〜１５０μｍ程度のフィルムを用いて無端ベルト状に形成されている。
【００４６】
感光体ドラム３から中間転写ベルト７へのトナー像の転写は、中間転写ベルト７裏面に圧接されている中間転写ローラ６によって行われる。中間転写ローラ６には、トナー像を転写するために高電圧の転写バイアス（トナーの帯電極性（−）とは逆極性（＋）の高電圧）が印加されている。中間転写ローラ６は、直径８〜１０ｍｍの金属（例えばステンレス）軸をベースとし、その表面は、導電性の弾性材（例えばＥＰＤＭ、発泡ウレタン等）により覆われているローラである。この導電性の弾性材により、記録用紙に対して均一に高電圧を印加することができる。
【００４７】
上述の様に各感光体ドラム３表面のトナー像は、中間転写ベルト７で積層され、画像データによって示されるカラーのトナー像となる。このように積層された各色のトナー像は、中間転写ベルト７と共に搬送され、中間転写ベルト７と接触する２次転写装置１１の転写ローラ１１ａによって記録用紙上に転写される。
【００４８】
中間転写ベルト７と２次転写装置１１の転写ローラ１１ａとは相互に圧接されて、ニップ域を形成する。また、２次転写装置１１の転写ローラ１１ａには、中間転写ベルト７上の各色のトナー像を記録用紙に転写させるための電圧（トナーの帯電極性（−）とは逆極性（＋）の高電圧）が印加される。さらに、そのニップ域を定常的に得るために、２次転写装置１１の転写ローラ１１ａもしくは中間転写ベルト駆動ローラ２１の何れか一方を硬質材料（金属等）とし、他方を弾性ローラ等の軟質材料（弾性ゴムローラ、または発泡性樹脂ローラ等）としている。
【００４９】
また、２次転写装置１１によって中間転写ベルト７上のトナー像が記録用紙上に完全に転写されず、中間転写ベルト７上にトナーが残留することがあり、この残留トナーが次工程でトナーの混色を発生させる原因となる。このため、中間転写ベルトクリーニング装置９によって残留トナーを除去及び回収する。中間転写ベルトクリーニング装置９には、例えばクリーニング部材として、中間転写ベルト７に接触して残留トナーを除去するクリーニングブレードが設けられており、クリーニングブレードが接触する部位で、従動ローラ２２により中間転写ベルト７裏側が支持されている。
【００５０】
給紙トレイ１０は、記録用紙を格納しておくためのトレイであり、画像形成装置１００の画像形成部の下側に設けられて、トレイ内の記録用紙を供給する。
【００５１】
画像形成装置１００には、給紙トレイ１０から供給された記録用紙を２次転写装置１１や定着装置１２を経由させて用紙排出トレイ１５に送るための、Ｓの字形状の用紙搬送経路Ｓが設けられている。この用紙搬送経路Ｓに沿って、用紙ピックアップローラ１６、用紙レジストローラ１４、定着装置１２、及び記録用紙を搬送する搬送ローラ等が配置されている。
【００５２】
用紙ピックアップローラ１６は、給紙トレイ１０の端部に設けられ、給紙トレイ１０から記録用紙を１枚ずつ用紙搬送経路Ｓに供給する呼び込みローラである。搬送ローラは、記録用紙の搬送を促進補助するための小型のローラであり、複数個設けられている。
【００５３】
用紙レジストローラ１４は、搬送されて来た記録用紙を一旦停止させて、記録用紙の先端を揃え、中間転写ベルト７と２次転写装置１１の転写ローラ１１ａ間のニップ域で中間転写ベルト７上のカラーのトナー像が記録用紙に転写されるように、感光体ドラム３及び中間転写ベルト７の回転にあわせて、記録用紙をタイミングよく搬送する。
【００５４】
例えば、用紙レジストローラ１４は、図示しないレジスト前検知スイッチの検出出力に基づき、中間転写ベルト７と２次転写装置１１の転写ローラ１１ａ間のニップ域で中間転写ベルト７上のカラーのトナー像の先端が記録用紙の画像形成領域の先端に合うように、記録用紙を搬送する。
【００５５】
定着装置１２は、加熱ローラ３１及び加圧ローラ３２等を備えている。加熱ローラ３１及び加圧ローラ３２は、中間転写ベルト７と２次転写装置１１の転写ローラ１１ａ間のニップ域を通過して来た記録用紙を挟み込んで搬送する。
【００５６】
加熱ローラ３１は、図示しない温度検出器の検出出力に基づき、所定の定着温度となるように制御されており、加圧ローラ３２とともに記録用紙を熱圧着することにより、記録用紙に転写されたトナー像を溶融、混合、圧接し、記録用紙に対して熱定着させる機能を有している。
【００５７】
各色のトナー像の定着後の記録用紙は、搬送ローラによって用紙排出トレイ１５上にフェイスダウンで排出される。
【００５８】
さて、このような画像形成装置１００は、オフィス、店舗、病院等に設置されることが多く、その手前上部に配置されている操作パネル７５が不特定多数の利用者により操作される。この操作パネル７５の清掃が定期的に行われていても、操作パネル７５の操作の度に、操作パネル７５の清掃が行われるわけではなく、このため他人が直接触れた後では、操作パネル７５の目に見えない雑菌等の汚れが気がかりである。
【００５９】
そこで、本実施形態では、図１及び図２（ａ）に示すように画像形成装置１００の本体の上方にイオン発生装置７１を設けておき、操作パネル７５の操作に対する応答動作が終了した後に、正イオン及び負イオンをイオン発生装置７１から矢印Ｄの斜め下方に放出して、正イオン及び負イオンを操作パネル７５に吹き付け、正イオン及び負イオンにより操作パネル７５の目に見えない雑菌等の汚れを除去している。
【００６０】
このとき、操作パネル７５の操作に対する応答動作が終了した後であって、利用者の手が操作パネル７５から離れてから、正イオン及び負イオンが操作パネル７５に吹き付けられるので、イオンが利用者の手に直接吹き付けられることはなく、利用者が不快に感じることはない。
【００６１】
更に、正イオン及び負イオンがイオン発生装置７１から矢印Ｄの斜め下方に放出されると、エアーカーテンのように正イオン及び負イオンが画像形成装置１００の本体前側を主に覆って、排出ガスの臭気が低減される。このような正イオン及び負イオンにより画像形成装置１００の外部が覆われるだけでも、排出ガスの臭気が効果的に抑えられることが実験で確認されている。
【００６２】
そして、矢印Ｄの斜め下方への正イオン及び負イオンの放出を一定時間行って、操作パネル７５の除菌を終了すると、図２（ｂ）に示すようにイオン発生装置７１からの正イオン及び負イオンの放出方向を矢印Ｅの上方向に変更して、正イオン及び負イオンを室内全体に流して拡散させ、正イオン及び負イオンにより空気中の浮遊細菌を除去して、空気の浄化を広い範囲で行うようにしている。
【００６３】
ここで、操作パネル７５の操作に対する応答動作としては、スキャン動作や複写動作がある。スキャン動作では、原稿読取り装置１０１により原稿画像が読取られ、この原稿画像がインターフェース７６からネットワークＮを通じて外部端末装置へと送信される。また、複写動作では、原稿読取り装置１０１により原稿画像が読取られ、この原稿画像が記録用紙に複写される。これらのスキャナ動作や複写動作では、利用者が原稿画像を原稿読取り装置１０１にセットして操作パネル１０１を操作する必要がある。
【００６４】
図３は、操作パネル７５を示す平面図である。この操作パネル７５では、その左側に液晶タッチパネル７５ａが配置され、この液晶パネル７５ａの周囲に各種の操作キー７５ｂが配置されている。これらの操作キー７５ｂの１つが開始キーであり、この開始キーが操作されると、操作パネル７５から制御部７４へと動作開始信号が出力される。制御部７４は、画像形成装置１００全体の制御を司っており、原稿読取り装置１０１の原稿セットトレイ４１に原稿がセットされた状態で、その動作開始信号を入力すると、画像形成装置１００の動作を開始して、原稿読取り装置１０１により原稿画像を読取らせ、この原稿画像を記録用紙に複写する。
【００６５】
また、各操作キー７５ｂの操作によりスキャナ動作が選択されると、操作パネル７５から制御部７４へとスキャナ動作が指示され、引き続いて開始キーが操作されると、操作パネル７５から制御部７４へと動作開始信号が出力され、これに応答して制御部７４は、画像形成装置１００の動作を開始して、原稿読取り装置１０１により原稿画像を読取らせ、この原稿画像をインターフェース７６からネットワークＮを通じて外部端末装置へと送信させる。
【００６６】
更に、インターフェース７６としてファクシミリ通信機能を有するものを適用し、ネットワークＮとして電話回線を適用した構成でも、各操作キー７５ｂの操作によりスキャナ動作が選択され、開始キーが操作されると、インターフェース７６から電話回線を通じて外部端末装置が呼び出され、原稿読取り装置１０１で原稿画像が読取られ、この原稿画像がインターフェース７６から電話回線を通じて外部端末装置へと送信される。
【００６７】
一方、パーソナルコンピュータ等の外部端末装置（図示せず）からの受信入力により起動されるプリント動作がある。このプリント動作は、操作パネル７５の入力操作に応答しての動作ではなく、利用者が操作パネル１０１を操作する必要がない。
【００６８】
このプリント動作では、外部端末装置からネットワークＮを通じてインターフェース７６へとプリントの動作開始信号及び原稿画像が受信され、これに応答して原稿画像が記録用紙に印刷される。
【００６９】
また、インターフェース７６としてファクシミリ通信機能を有するものを適用し、ネットワークＮとして電話回線を適用した構成でも、外部端末装置からの着呼があり、外部端末装置から電話回線を通じてインターフェース７６へとプリントの動作開始信号（ファクシミリ通信の制御信号に対応する）及び原稿画像が受信されて、プリント動作となり、原稿画像が記録用紙に印刷される。
【００７０】
このように画像形成装置１００の動作には、操作パネル７５の操作に応答してのスキャン動作や複写動作と、外部端末装置からの受信入力に応答してのプリント動作とがある。このため、本実施形態では、操作パネル７５の操作に応答してのスキャン動作や複写動作が終了したときにだけ、正イオン及び負イオンをイオン発生装置７１から矢印Ｄの斜め下方に放出して、正イオン及び負イオンにより操作パネル７５を除菌している。
【００７１】
次に、イオン発生装置７１及び制御部７４について詳しく説明する。図１及び図２（ａ）、（ｂ）から明らかなように画像形成装置１００の本体の背面片側のコーナー１００ａには支柱７２が突設されており、この支柱７２の上端でイオン発生装置７１の一端側の軸７１ａが矢印Ｆの方向に回転可能に軸支され、イオン発生装置７１の軸７１ａが偏向用モータ７３の出力軸に接続されている。偏向用モータ７３によりイオン発生装置７１の軸７１ａが往復回転駆動されて、イオン発生装置７１が矢印Ｆの方向に往復回転され、イオン発生装置７１からの正イオン及び負イオンの放出方向が矢印Ｄ及び矢印Ｅのいずれかの向きに変更される。
【００７２】
図１に示すように偏向用モータ７３は、画像形成装置１００に内蔵の制御部７４に接続され、制御部７４により駆動制御される。制御部７４は、画像形成装置１００の動作状態に応じて偏向用モータ７３を駆動制御して、イオン発生装置７１の回転位置を制御し、図２（ａ）、（ｂ）に示すようにイオン発生装置７１からのイオンの放出方向を矢印Ｄ及び矢印Ｅのいずれかの向きに設定する。
【００７３】
図１に示すように支柱７２が本体の背面片側のコーナー１００ａに配置され、支柱７２によりイオン発生装置７１が水平に片持ちされているので、画像形成装置１００の上方スペースが開放されて、画像形成装置１００の使い勝手が損なわれずに済む。また、画像形成装置１００は、その背面側が壁等に向けて配置されるように構成されている。このため、イオン発生装置７１が画像形成装置１００の背面側に設けられており、イオン発生装置７１が壁際に配置されて邪魔にならないようにされている。
【００７４】
図４は、イオン発生装置７１を示す断面図である。このイオン発生装置７１は、本体筐体８１、本体筐体８１の下部に配置されたファンユニット８２、本体筐体８１の下側壁に形成された複数の吸入孔８１ａとファンユニット８２の吸入口８２ａとの間に配置された吸入ダクト８３、本体筐体８１の上部に形成された上部吹き出し口８１ｂとファンユニット８２の吹き出し口８２ｂとの間に配置された吹き出しダクト８４、及びファンユニット８２の周囲に配置された複数のイオン発生素子８５を備えている。
【００７５】
図１に示すようにイオン発生装置７１が画像形成装置１００の幅方向に長いため、本体筐体８１、ファンユニット８２、各吸入孔８１ａ、吸入ダクト８３、放出口８２ｂ、及び放出ダクト８４も画像形成装置１００の幅方向に長く、また複数のイオン発生素子８５を画像形成装置１００の幅方向に配列している。
【００７６】
ファンユニット８２のファン８２ｃは、モータ（図示せず）により回転駆動され、矢印Ｇに示すような空気流を発生し、空気を各吸入孔８１ａから吸入ダクト８３を通じてファンユニット８２内へと吸入し、空気を各イオン発生素子８５近傍に流してから、空気を吹き出しダクト８４を通じて上部吹き出し口８１ｂから放出する。
【００７７】
各イオン発生素子８５は、プラズマクラスターイオン（登録商標）発生素子（ＰＣＩ）である。図４の矢印Ａ方向から各イオン発生素子８５を見ると、図５に示すように２個のイオン発生素子８５が画像形成装置１００の幅方向に配列され、イオン発生素子８５毎に、正イオンを発生する一対の正イオン発生部８５ａと、負イオンを発生する一対の負イオン発生部８５ｂとが配列されている。このようなイオン発生素子８５は、本願発明の出願人が先に出願した特開２００２−５８７３１号に詳しく開示されている。
【００７８】
このイオン発生素子８５により発生された正イオン及び負イオンは、ファンユニット８２のファン８２ｃにより発生された空気流と共に吹き出しダクト８４を通じて上部吹き出し口８１ｂから放出される。
【００７９】
このような構成において、図１の制御部７４は、電源スイッチがオンになると、予め設定された手順で画像形成装置１００の各部を駆動制御して、画像形成装置１００を待機状態とする。この待機状態とは、印刷処理が実行されていない状態であって、直ちに印刷処理の実行に移れる状態である。
【００８０】
この待機状態において、原稿読取り装置１０１の原稿セットトレイ４１に原稿がセットされ、操作パネル７５の開始キーが操作されると、これに応答して制御部７４は、画像形成装置１００の複写動作を開始して、原稿画像を読取り、この原稿画像を記録用紙に複写する。
【００８１】
また、操作パネル７５の入力操作によりスキャナ動作が選択され、開始キーが操作されると、これに応答して制御部７４は、画像形成装置１００のスキャナ動作を開始して、原稿画像を読取り、この原稿画像をインターフェース７６からネットワークＮを通じて外部端末装置へと送信する。あるいは、インターフェース７６から電話回線を通じて外部端末装置を呼び出し、原稿画像を読取り、この原稿画像をインターフェース７６から電話回線を通じて外部端末装置へとファクシミリ送信する。
【００８２】
更に、プリント動作では、外部端末装置からネットワークＮを通じてインターフェース７６へとプリントの動作開始信号及び原稿画像が受信され、これに応答して制御部７４は、画像形成装置１００の動作を開始して、画像形成装置１００の動作状態を設定し、この原稿画像を記録用紙に印刷する。あるいは、外部端末装置から電話回線を通じてインターフェース７６へとファクシミリ通信の着呼があり、外部端末装置から電話回線を通じてインターフェース７６へとプリントの動作開始信号及び原稿画像が受信され、これに応答して制御部７４は、画像形成装置１００の動作を開始して、画像形成装置１００の動作状態を設定し、この原稿画像を記録用紙に印刷する。
【００８３】
そして、このような複写動作、スキャナ動作、プリント動作の印刷処理が終了した後、印刷処理が実行されないまま一定時間が経過すると、画像形成装置１００が再び待機状態となり、次の動作開始信号の入力が待機される。
【００８４】
ここで、制御部７４は、画像形成装置１００を待機状態に設定すると、偏向用モータ７３を駆動制御して、イオン発生装置７１の回転位置を制御し、図２（ｂ）及び図６に示すようにイオン発生装置７１からのイオンの放出方向を矢印Ｅの上方向に設定する。これにより、正イオン及び負イオンが室内全体に流れて拡散し、正イオン及び負イオンにより空気中の浮遊細菌が除去されて、空気の浄化が広い範囲で行われる。一般に、画像形成装置１００の待機状態の設定時間がその他のプリンタ動作、スキャナ動作、複写動作の設定時間よりも長いため、画像形成装置１００の待機状態のときに正イオン及び負イオンが室内全体に流れて拡散されれば、空気の浄化が効果的になされる。
【００８５】
このとき、制御部７４は、偏向用モータ７３の駆動制御によりイオン発生装置７１を軸７１ａ周りの一定角度範囲で往復回転させてもよい。すなわち、イオン発生装置７１をスイング動作させる。これにより、正イオン及び負イオンの放出範囲を広げることができる。
【００８６】
また、制御部７４は、待機状態からプリント動作、スキャナ動作、及び複写動作へと移行し、この動作を行っているときにも、図２（ｂ）及び図６に示すようにイオン発生装置７１からのイオンの放出方向を矢印Ｅの上方向に維持する。これにより、正イオン及び負イオンが室内全体に流れて拡散し、空気の浄化が広い範囲で行われる。このとき、イオン発生装置７１をスイング動作させてもよい。
【００８７】
更に、制御部７４は、複写動作やスキャナ動作が終了すると、モータ駆動ユニット７３を駆動制御して、イオン発生装置７１の回転位置を制御し、図２（ａ）及び図７に示すようにイオン発生装置７１からのイオンの放出方向を矢印Ｄの斜め下方に設定する。これにより、正イオン及び負イオンが操作パネル７５に吹き付けられ、正イオン及び負イオンにより操作パネル７５の目に見えない雑菌等の汚れが除去される。
【００８８】
また、複写動作やスキャナ動作が終了したときには、利用者の手が操作パネル７５から離れているため、イオンが操作パネル７５に吹き付けられても、イオンが利用者の手に直接吹き付けられることはなく、利用者が不快に感じることはない。更に、エアーカーテンのように正イオン及び負イオンが画像形成装置１００の本体前側を主に覆って、排出ガスの臭気が低減される。
【００８９】
また、制御部７４は、複写動作やスキャナ動作が終了してから一定時間が経過すると、画像形成装置１００を待機状態に設定し、また同時に偏向用モータ７３を駆動制御して、イオン発生装置７１の回転位置を制御し、図２（ｂ）及び図６に示すようにイオン発生装置７１からのイオンの放出方向を矢印Ｅの上方向に戻す。これにより、再び正イオン及び負イオンが室内全体に流れて拡散し、空気の浄化が広い範囲で行われる。
【００９０】
尚、プリント動作が終了したときには、プリント動作中と同様に、図２（ｂ）及び図６に示すようにイオン発生装置７１からのイオンの放出方向を矢印Ｅの上方向に維持したままとする。これは、操作パネル７５の入力操作ではなく、受信入力に応答してプリント動作が開始されるため、操作パネル７５の除菌を行う必要がないからである。
【００９１】
このように本実施形態では、画像形成装置１００の待機状態、プリント動作、スキャナ動作、及び複写動作のときに、図２（ｂ）及び図６に示すようにイオン発生装置７１からのイオンの放出方向が矢印Ｅの上方向に設定されるので、正イオン及び負イオンが室内全体に流れて拡散し、正イオン及び負イオンにより空気中の浮遊細菌が除去されて、空気の浄化が広い範囲で行われる。また、操作パネル７５の入力操作に応答して開始された複写動作やスキャナ動作が終了すると、図２（ａ）及び図７に示すようにイオン発生装置７１からのイオンの放出方向が矢印Ｄの斜め下方に設定されるので、正イオン及び負イオンが操作パネル７５に吹き付けられて、正イオン及び負イオンにより操作パネル７５が除菌される。
【００９２】
また、イオン発生装置７１を画像形成装置１００の外側に配置しているので、画像形成装置１００の本体の大型化を避けることができる。更に、このイオン発生装置７１により室内の空気が浄化されるので、空気清浄機を別途設ける必要がなく、室内の空間を有効利用することができ、また設備費用を節減することができる。
【００９３】
図８は、イオン発生装置の他の例を示す断面図である。尚、図８において、図４と同様の作用を果たす部位には同じ符号を付して、説明を簡略化する。
【００９４】
図８に示すようにイオン発生装置７１Ａでは、図４の本体筐体８１及吹き出しダクト８４の代わりに、本体筐体８１Ａ及び吹き出しダクト８４Ａを設けている。
【００９５】
本体筐体８１Ａは、図４の本体筐体８１と同様に複数の吸入孔８１ａ及び上部吹き出し口８１ｂを有するだけではなく、側部吹き出し口８１ｃを有している。
【００９６】
吹き出しダクト８４Ａは、相互に対向する第１及び第２可動ダクト壁９１、９２を有している。第１可動ダクト壁９１は、その上端の軸９１ａを枢支されて、この軸９１ａ周りで矢印Ｈの方向に往復回動することができる。また、第２可動ダクト壁９２は、その下端の軸９２ａを枢支されて、この軸９２ａ周りで矢印Ｉの方向に往復回動することができる。
【００９７】
第１及び第２可動ダクト壁９１、９２の軸９１ａ、９２ａは、ダクト用モータ（図示せず）により同時に回転駆動されて、同時に往復回転される。
【００９８】
画像形成装置１００内の制御部７４は、画像形成装置１００の待機状態及び動作状態に応じてそのダクト用モータを駆動制御し、第１及び第２可動ダクト壁９１、９２の軸９１ａ、９２ａを同時に往復回転させる。これにより、第１及び第２可動ダクト壁９１、９２が図８又は図９に示すように選択的に位置決めされる。
【００９９】
図８に示すように第１及び第２可動ダクト壁９１、９２が位置決めされた状態では、第１可動ダクト壁９１が側部吹き出し口８１ｃを閉じるので、イオン発生装置７１Ａにおける空気流が矢印Ｊに示すように発生し、各吸入孔８１ａ→吸入ダクト８３→ファンユニット８２内の各イオン発生素子８５近傍→吹き出し口８２ｂ→吹き出しダクト８４Ａ→上部吹き出し口８１ｂという経路で空気が流れて上方向に放出される。
【０１００】
また、図９に示すように第１及び第２可動ダクト壁９１、９２が位置決めされた状態では、第１可動ダクト壁９１が側部吹き出し口８１ｃを開放し、第２可動ダクト壁９２が上部吹き出し口８１ｂを閉じるので、イオン発生装置７１Ａにおける空気流が矢印Ｋに示すように発生し、各吸入孔８１ａ→吸入ダクト８３→ファンユニット８２内の各イオン発生素子８５近傍→吹き出し口８２ｂ→側部吹き出し口８１ｃという経路で空気が流れて斜め下方向に放出される。
【０１０１】
図１０は、イオン発生装置７１Ａを画像形成装置１００に取付けた状態を示している。画像形成装置１００の本体の背面中央には支柱９３が突設されており、この支柱９３の上端にイオン発生装置７１Ａの中央を安定的に支持している。
【０１０２】
ここで、制御部７４は、画像形成装置１００を待機状態に設定すると、ダクト用モータを駆動制御して、第１及び第２可動ダクト壁９１、９２の軸９１ａ、９２ａを同時に回転させ、図８に示すように第１及び第２可動ダクト壁９１、９２を位置決めする。このため、図１１に示すようにイオン発生装置７１Ａの上部吹き出し口８１ｂから正イオン及び負イオンが空気と共に矢印Ｌの上方向に放出される。これにより、正イオン及び負イオンが室内全体に流れて拡散し、空気の浄化が効果的になされる。
【０１０３】
また、制御部７４は、待機状態からプリント動作、スキャナ動作、複写動作へと移行し、この動作を行っているときにも、図８に示すように第１及び第２可動ダクト壁９１、９２を位置決めして、図１１に示すようにイオン発生装置７１Ａからのイオンの放出方向を矢印Ｌの上方向に維持する。これにより、正イオン及び負イオンが室内全体に流れて拡散し、空気の浄化が効果的になされる。
【０１０４】
更に、制御部７４は、複写動作やスキャナ動作が終了すると、ダクト用モータを駆動制御して、第１及び第２可動ダクト壁９１、９２の軸９１ａ、９２ａを同時に回転させ、図９に示すように第１及び第２可動ダクト壁９１、９２を位置決めする。このため、図１２に示すようにイオン発生装置７１Ａの側部吹き出し口８１ｃから正イオン及び負イオンが空気と共に矢印Ｍの斜め下方向に放出される。これにより、正イオン及び負イオンが操作パネル７５に吹き付けられ、正イオン及び負イオンにより操作パネル７５が除菌される。また、イオンが利用者の手に直接吹き付けられることはなく、利用者が不快に感じることはない。更に、エアーカーテンのように正イオン及び負イオンが画像形成装置１００の本体前側を主に覆って、排出ガスの臭気が低減される。
【０１０５】
また、制御部７４は、複写動作やスキャナ動作が終了してから一定時間が経過すると、画像形成装置１００を待機状態に設定し、また同時に図８に示すように第１及び第２可動ダクト壁９１、９２を位置決めして、図１１に示すようにイオン発生装置７１Ａの上部吹き出し口８１ｂから空気を正イオン及び負イオンと共に矢印Ｌの上方向に放出させる。
【０１０６】
尚、受信入力に応答して開始されたプリント動作が終了したときには、プリント動作中と同様に、図１１に示すようにイオン発生装置７１Ａからのイオンの放出方向を矢印Ｌの上方向に維持する。
【０１０７】
このようなイオン発生装置７１Ａを用いても、画像形成装置１００の待機状態、プリント動作、スキャナ動作、及び複写動作のときに、図１１に示すようにイオン発生装置７１Ａからのイオンの放出方向が矢印Ｌの上方向に設定されるので、正イオン及び負イオンが室内全体に流れて拡散し、正イオン及び負イオンにより空気中の浮遊細菌が除去されて、空気の浄化が広い範囲で行われる。また、複写動作やスキャナ動作が終了すると、図１２に示すようにイオン発生装置７１Ａの側部吹き出し口８１ｃから正イオン及び負イオンが矢印Ｍの斜め下方向に放出されるので、正イオン及び負イオンが操作パネル７５に吹き付けられて、正イオン及び負イオンにより操作パネル７５が除菌される。
【０１０８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【０１０９】
例えば、上記実施形態では、複写動作やスキャナ動作が終了すると、利用者の手が操作パネル７５から離れたとみなしているが、複写動作やスキャナ動作を指示するための操作パネル７５の入力操作が終了したときに、利用者の手が操作パネル７５から離れたとみなしても構わない。この場合は、複写動作やスキャナ動作を指示するための操作パネル７５の入力操作が終了すると同時に、操作パネル７５へのイオンの放出を開始する。例えば、制御部７４は、操作パネル７５の各操作キー７５ｂのうちの開始キーが操作されると、複写動作やスキャナ動作を指示するための入力操作が終了したと判定して、操作パネル７５へのイオンの放出を開始する。
【０１１０】
また、画像形成装置の非動作状態として待機状態を示しているが、画像形成装置の非動作状態が長く続いたときには、待機状態から消費電力の少ない省電力動作へと移り、更に省電力動作からより消費電力の少ないスリープ動作へと移り、印刷指示があったときに動作状態に戻るという節電制御を行うことがある。そのような省電力動作やスリープ動作に際しても、待機状態と同様に、排出ガスが発生しないため、イオン発生装置からのイオンの放出方向を上方に向けて、イオンを上方に放出し続けてもよい。特に、夜間等においては、スリープ動作が設定されるので、イオン発生装置からイオンを上方に放出し続ければ、人が居ない間に、室内の空気を十分に浄化することができる。
【０１１１】
また、イオン発生装置７１をオプションで後付けすることができるようにしてもよい。この場合は、イオン発生装置７１側に偏向用モータ７３等を駆動制御するための制御部を設けておき、この制御部と画像形成装置１００の制御部７４とをシリアル通信用のケーブル並びにコネクタを介して接続し、両者の制御部間のデータ通信により、画像形成装置１００の制御部７４からイオン発生装置７１側の制御部へと指示を送受して、イオン発生装置７１側の制御部により偏向用モータ７３等を制御する。
【０１１２】
更に、画像形成装置の構造や使用状況等に応じて、イオン発生装置７１の取り付け位置を変更してもよい。上記実施形態では、画像形成装置の背面側を壁等に向けて配置することを想定して、支柱を画像形成装置の背面側に突設し、この支柱の上端にイオン発生装置７１を水平に支持しているが、画像形成装置の構造や使用状況によっては、画像形成装置の側面を壁等に向けて配置することがある。この場合は、支柱を画像形成装置の側壁に突設し、この支柱の上端にイオン発生装置７１を支持すると、イオン発生装置７１が壁際に配置されて、イオン発生装置７１が邪魔にならずに済む。あるいは、支柱を用いずに、イオン発生装置７１を垂直に取付けたり、画像形成装置本体の外壁に直接取付けてもよい。更に、複数のイオン発生装置７１を分散して取付けても構わない。
【０１１３】
また、操作パネル７５の除菌だけを目的とするならば、イオン発生装置７１を操作パネル７５の近傍に配置し、このイオン発生装置７１から操作パネル７５へとイオンを吹き付けても構わない。例えば、図１３に示すように画像形成装置１００の本体外壁の手前上側に複数の送風孔１１１を形成し、これらの送風孔１１１の部位で本体外壁の裏側にイオン発生装置を設けておき、このイオン発生装置から本体外壁の各送風孔１１１を通じて操作パネル７５へとイオンを吹き付けてもよい。ただし、イオンの放出方向を変更することができないため、複写動作やスキャナ動作を指示するための入力操作が終了するか、又は該各動作が終了した後に、一定時間だけイオンを操作パネル７５に吹き付けるようにする。
【０１１４】
また、画像形成装置１００に複数の操作パネルが散在して設けられている構成では、各操作パネルの近傍にそれぞれのイオン発生装置を設けて、これらのイオン発生装置からそれぞれの操作パネルへとイオンを吹き付けても構わない。この場合も、複写動作やスキャナ動作を指示するための入力操作が終了するか、又は該各動作が終了した後に、一定時間だけイオンをそれぞれの操作パネルに吹き付けるようにする。
【０１１５】
更に、図１４に示すように画像形成装置１００の操作パネル７５へとイオンを吹き付けるためのイオン発生装置１２１と、画像形成装置１００から排出ガスが多く排出される付近にイオンを吹き出すためのイオン発生装置１２２とを個別に設けても構わない。この場合は、操作パネル７５の入力操作又は該入力操作に対応する動作が終了してから一定時間だけ、イオン発生装置１２１から操作パネル７５へのイオンの吹き付けを行い、また画像形成装置１００の動作中にイオン発生装置１２２からのイオンの吹き出しを行う。
【０１１６】
また、本発明は、画像形成装置だけではなく、他の種類の電子機器にも適用することができる。この電子機器としては、不特定多数の人々が共用するものがよく、例えばＡＴＭや券売機などがある。更に、操作部は、キーやボタンだけではなく、タッチパネル、レバー等であっても構わない。
【符号の説明】
【０１１７】
１  レーザ露光装置
２  現像装置
３  感光体ドラム
４  クリーナ装置
５  帯電器
７  中間転写ベルト
８  中間転写ベルト装置
１０  給紙トレイ
１１  ２次転写装置
１２  定着装置
１４  用紙レジストローラ
１５  用紙排出トレイ
３１  加熱ローラ
３２  加圧ローラ
４１  原稿セットトレイ
４２  原稿搬送部
４４  原稿ピックアップローラ
５３  第１走査部
５４  第２走査部
５５  結像レンズ
５６  ＣＣＤ
７１、７１Ａ  イオン発生装置
７２、９３  支柱
７３  偏向用モータ
７４  制御部
８１、８１Ａ  本体筐体
８２  ファンユニット
８３  吸入ダクト
８４、８４Ａ  吹き出しダクト
８５  イオン発生素子
９１  第１可動ダクト壁
９２  第２可動ダクト壁
【図１】
2010164815.tif 000003
【図２】
2010164815.tif 000004
【図３】
2010164815.tif 000005
【図４】
2010164815.tif 000006
【図５】
2010164815.tif 000007
【図６】
2010164815.tif 000008
【図７】
2010164815.tif 000009
【図８】
2010164815.tif 000010
【図９】
2010164815.tif 000011
【図１０】
2010164815.tif 000012
【図１１】
2010164815.tif 000013
【図１２】
2010164815.tif 000014
【図１３】
2010164815.tif 000015
【図１４】
2010164815.tif 000016